(57)【要約】    本発明は照明広告板の内部に設置されるランプの支持装置に関するものであって、さらに詳しくは、運搬及び保管が容易な組立式に構成されセンターフレームだけを交替して多様なランプの規格(長さ)にこだわらずに汎用に使用することができ、前記ランプを重畳されるように配置して黒化現像を除去することができ、前記ランプの幅を自由自在に調節しながら多数列に配置できるようにする広告板用ランプ支持装置に関するものである。    このような本発明は、上、下端部に分離可能な第1連結部材が嵌め結合されるセンターフレームと；前記第1連結部材の上、下端部に嵌め結合され支持装置を広告フレームに堅固に固定させる固定フレームと；    前記固定フレームに外挿設置され、第1連結部材と結束されると同時にスライドフレームを支持する第2連結部材と；前記第1,2連結部材を密着状態に一体化結束させる結束手段と；前記第2連結部材を貫通して固定フレームと交差された状態に配置されるスライドフレームと；    前記スライドフレームに幅調節可能に結合され一側先端にランプソケットが形成された多数のランプ支持台を備えさせることによりなるものである。【選択図】図４
2008518393.tif 000002
【特許請求の範囲】
【請求項１】
上、下端部に分離可能な第1連結部材(11)が嵌め結合されるセンターフレーム(10)と；
前記第1連結部材(11)の上、下端部に嵌め結合され支持装置(1)を広告フレーム(5)に堅固に固定させる固定フレーム(20)と；
前記固定フレーム(20)に外挿設置され、第1連結部材(11)と結束されると同時にスライドフレーム（50)を支持する第2連結部材(30)と；
前記第1,2連結部材(11)(30)を密着状態に一体化結束させる結束手段(40)と；
前記第2連結部材(30)を貫通して固定フレーム(20)と交差された状態に配置されるスライドフレーム(50)と；
前記スライドフレーム(50)に幅調節可能に結合され一側先端にランプソケット(63)が形成された多数のランプ支持台(60)からなることを特徴とする広告板用ランプ支持装置。
【請求項２】
センターフレーム(10)は上、下端部に結合された第1連結部材(11)と分離させた後、ランプ(4)の規格(長さ）に適合な長さに製作された他のセンターフレーム(10)に交替組立て可能な一方、前記第1連結部材(11)は上、下端にそれぞれセンターフレーム(10)及び固定フレーム(20)が嵌め結合される結合部(13)が形成されたことを特徴とする請求項１に記載の広告板用ランプ支持装置。
【請求項３】
センターフレーム(10)は両側に電線(3)が外部に表れないように電線(3)を隠蔽し得る電線溝(12)が形成されたことを特徴とする請求項１に記載の広告板用ランプ支持装置。
【請求項４】
第2連結部材(30)は固定フレーム(20)に交差された状態にスライドフレーム(50)が貫通結合される結合凹部(31)が形成され、前記結合凹部(31)の上、下に形成された丸凹溝(34)にはスライドフレーム(50)の突出枠(53)が嵌められて離脱防止され、前記結合凹部(31)の上、下部前方側には電線(3)がスライドフレーム(50)の電線溝(52)を経由してセンターフレーム（10)の電線溝(1２)に誘導され得るように案内する多数の案内ホール(32)が形成されたことを特徴とする請求項１に記載の広告板用ランプ支持装置。
【請求項５】
結束手段(40)は第1連結部材(11)の上端に形成された多数の嵌め突起(41)が第2連結部材(30)の結合突部(42)に嵌め結合され、前記嵌め突起(41)及び結合突部(42)の間に形成された挿支突起(43)は相互交互に結合されると同時に前記第1連結部材(11)の両側上部に形成された弾性片(45)は第2連結部材(30)の両側下部に陥没形成された結合顎(46)に係止されるように一体に結合されることを特徴とする請求項１に記載の広告板用ランプ支持装置。
【請求項６】
ランプ支持台(60)は後方に電線(3)が外部に表れないように電線(3)を隠蔽し得る電線溝(62)が形成され、両側下部には前記電線溝(62)と連通する引き込みホール(65)が形成される一方、スライドフレーム(50)に沿って幅調節自由に多数で結合可能に一つの支持装置(1)にランプ(4)を多数列に配置できることを特徴とする請求項１に記載の広告板用ランプ支持装置。
【請求項７】
支持装置(1)は連続的に配置時ランプ支持台(60)間の干渉なしに前記ランプ支持台(60)に支持されたランプ(4)を一定区間相互重畳されるように配置して黒化現像を防止できることを特徴とする請求項１に記載の広告板用ランプ支持装置。
【発明の詳細な説明】
【技術分野】
【０００１】
本発明は照明広告板の内部に設置されるランプの支持装置に関するものであって、さらに詳しくは、運搬及び保管が容易な組立て式に構成されセンターフレームだけを交替して多様なランプの規格(長さ)にこだわらずに汎用に使用することができ、前記ランプを重畳されるように配置して黒化現像を除去することができ、前記ランプの幅を自由自在に調節しながら多数列に配置できるようにする広告板用ランプ支持装置に関するものである。
【背景技術】
【０００２】
一般的にフレックス(Flex),  アクリル看板等は今でも看板の主宗(主流)をなしており、主に長方形の多様な規格に製作され、内側には照明手段の一種である多量のランプを設置して光を発することにより、前面または両面に表示されたグラフイック、商号等は夜間に識別の容易性を有する。  
このようなランプは別途の支持具を使用しないでもその両側端子に電線を連結し、該電線に単純に支持させ固定することにより長期間使用時自体的な荷重及び風等による外部の転動によってランプの端子が離脱され自体の機能を全うしなくなるのであった。  
このような問題点を解決するために両側に蛍光灯ソケット構造を有する別途の支持具を看板に内設してランプを安定するように支持する方法が提示されているが、前記ランプ支持具は一つの支持具に一つのランプを装着する1：1の装着構造をなして数多くのランプが所要される看板に適用するにおいて支持具がランプに比例して多量に要求されることに従って、製作及び設置費用が多く所要される問題点が発生するのであった。
【０００３】
従って、斯かる問題点を解消するための方案として本発明の発明者によって先出願された『実用新案登録第0120025号名称照明看板用蛍光灯支持具』が
提示されている。
【０００４】
ここで、前記先登録考案に対して検討すると、一つの支持具毎に少なくとも2つ以上の蛍光灯を装着できるので蛍光灯支持具に伴う製作及び設置費用を大幅に節減することができ、蛍光灯の設置間隔を所定に選択して必要な照度を容易に得られ、看板の形状による蛍光灯の光効率を高めることができ、蛍光灯支持部材を利用して長い蛍光灯を中央部を支持することにより長期間が経過しても蛍光灯が曲がるのを防止する効果を提供する有用な考案である。
【０００５】
しかし、先登録考案は前記の有用性にも拘らず支持具本体とソケット支持部材が分離される一部組立構成で構成されるのでこれを分離するとしても支持具本体の長さが非常に長いので運搬に伴う物流費用及び保管費用が多く所要され、特に前記支持具本体の長さが限定され多様な蛍光灯の規格(長さ)に従って汎用に使用することができない問題点が惹起されるものであった。
【０００６】
さらに、支持具を長手方向に連続的に配置する場合、相対するソケット支持部材によって蛍光灯を重畳されるように連続的に配置することができず、前記蛍光灯の間々に空間を形成するようになり、該空間には光を発せられないので他の周辺に比べて暗くなる黒化現像を誘発させ照明効果を低下させる多少の改善点を内包するものであった。
【発明の開示】
【０００７】
本発明は前記の先登録考案に基づく諸般の問題点を一掃するためのものであって、全ての構成品を分離可能な単品形態に製作してこれを現場で即席に組立て構成できるようにして物流及び保管費用を節減するのは勿論ランプの規格に適合なセンターフレームだけを単独に交替してランプの規格にこだわらずに汎用に使用できるようにすることを発明の技術的な課題とする。
【０００８】
さらに、本発明はスライドフレームにランプが支持されるランプ支持台を外向きに突出されるように結合して支持装置の連続的な配置時前記ランプ支持台の間々の干渉をなくすようにしてランプを重畳されるように配置することができ黒化現像を除去できるようにすることを発明のまた一つの技術的な課題とする。
【０００９】
また、本発明は前記ランプ支持台をスライドフレームに幅調節自由に多数列に結合して一つの支持装置に多数のランプを多数列に配置できるようにすることを発明の追加的な技術的課題とする。
【００１０】
本発明の技術的な課題をより効果的に達成するための好ましき実施例の構成について説明することにする。
【００１１】
本発明は経済性向上及びランプの規格にこだわらない汎用性を有する組立式の構造を有し、連続的に配置されるランプ(4)の間々に発生する黒化現像を除去するようにランプ(4)が固定されるランプ支持台(60)を相互重畳されるように設置できる構造を有し、これと同時に一つの支持装置(1)にランプ(4)を多数列に設置できる多列式の構造を備えることを発明の特徴的な要旨とする。
【発明を実施するための最良の形態】
【００１２】
このような本発明支持装置(1)の概略的な構成は図3ないし図4のように上、下端部に第1連結部材(11)が嵌め結合されるセンターフレーム(10)と、前記第1連結部材(11)に嵌め結合され支持装置(1)を広告フレーム(5)に堅固に固定させる固定フレーム(20)と、前記固定フレーム(20)に外挿設置され第1連結部材(11)と結束されると同時にスライドフレーム(50)を支持する第2連結部材(30)と、前記第1,2連結部材(11)(30)を一体化結束させる結束手段(40)と、前記第2連結部材(30)を貫通して配置されるスライドフレーム(50)と、前記スライドフレーム(50)に幅調節可能に結合される多数のランプ支持台(60)で構成されることを分かるようになる。
【００１３】
さらに、前記の支持装置(1)は図1のように広告板(2)の内側に垂直状に連続的に設置されることにより、広告板に照明を加えるようになる。
【００１４】
以下、前記概略的な構成からなる本発明を実施可能になるように、もう少し詳しく説明することにする。
【００１５】
支持装置(1)の基本骨組みをなすセンターフレーム(10)は、上、下端部に選択的に分離可能な第1連結部材(11)が嵌め結合される組立式に構成され、両側には長手方向にランプソケット(63)と連結される電線が外部に表れないように隠蔽させることができる電線溝(12)が形成され電線(3)を綺麗に整頓して外観上美麗さを提供するのは勿論安全事故を防止できるようになる。
【００１６】
そして、前記第1連結部材(11)はセンターフレーム(10)と固定フレーム(20)を相互連結するための媒介体として、上、下端部にそれぞれセンターフレーム(10)及び
固定フレーム(20)が同時に嵌め結合され得る結合部(13)が形成される構造を有する。
【００１７】
従って、前記センターフレーム(10)は第1連結部材(11)と組立て可能に構成されることにより他の規格を有する大きな長さのランプ(4)を使用する場合たとえランプ(4)の規格が多様であっても前記センターフレーム（10)だけを単独に第1連結部材(11)と分離させた後、前記ランプ(4)の規格に適合な長さに既製作された他のセンターフレーム(10)で交替、組立てる簡単な方法で適用が可能である。
【００１８】
即ち、センターフレーム(10)を交替する簡単な方法を通じて多様な規格を有するランプ(4)の種類にこだわらずに汎用に使用できるので作業上の便利さを提供するのは勿論、作業時間と費用を画期的に節減でき、特に支柱の役割をするセンターフレーム(10)と固定フレーム(20)をそれぞれ単品の形態で分離することにより、全体的なサイズをコンパクト化させて運搬に伴う物流費用及び保管費用を節減できるようになる。
【００１９】
前記第1連結部材(11)の結合部(13)に嵌め結合されセンターフレーム(10)と一体化をなす固定フレーム(20)は広告板(2)の内部に設置される広告フレーム(5)に締結具(6)を利用して図11のように貫通結合されることにより支持装置(1)全体を広告板(2)の内部に固定させる役割をする。
【００２０】
このような固定フレーム(20)に外挿設置される第2連結部材(30)は、上、下部を貫通する結合部(33)が形成され前記固定フレーム(20)が結合部(33)を貫通して一体に結合されることができ、前記の結合状態で第1連結部材(11)と結束されると同時にスライドフレーム(50)を支持する役割をする。
【００２１】
即ち、前方に両側へ貫通する結合凹部(31)が結合され該結合凹部(31)にスライドフレーム(50)が前記固定フレーム(20)と交差された状態で貫通結合されスライドフレーム(50)が堅固な組立て状態を保持するようなる。
【００２２】
さらに、前記結合凹部(31)の上、下部前方側には電線(3)を案内する多数の案内ホール(32)が形成されることであって、前記案内ホール(32)はランプソケット(63)と連結された電線(3)がスライドフレーム(50)に形成された電線溝(52)を経由してセンターフレーム(10)の電線溝(12)に誘導されるように案内する。
【００２３】
一方、前記第１、２連結部材(11)(30)を密着された状態に堅固に結束させて
センターフレーム(10)と固定フレーム(20)とを一体化させる結束手段(40)は図7ないし図8のように第1連結部材(11)の上端両側に嵌め突起(41)が形成されこれと対応する第2連結部材(30)の下端には前記嵌め突起(41)が嵌め結合される結合突部(42)が突出形成され、前記嵌め突起(41)及び結合突部(42)の間に離隔設置された多数の挿支突起(43)は交互に一体化結合される。
【００２４】
これと同時に前記第1連結部材(11)の上部両側には係止突起(44)が形成された弾性片(45)が形成され、これと対応する第2連結部材(30)の両側下部には前記係止突起(44)が係止される結合顎(46)が内側に陥没されるように形成される。
【００２５】
従って、前記の嵌め突起(41)及び結合突部(42)の結束に加えて弾性片(45)と結合顎(46)の堅固な結束力が提供されセンターフレーム(10)と固定フレーム(20)は相互堅固な組立て状態を保持してランプ(4)をより安定的に支持することができるし、これを分離する場合、前記の結束手段(40)の結束状態を解除した後、簡単に分離することができるようになる。
【００２６】
前記第2連結部材(30)の結合凹部(31)を固定フレーム(20)と交差された状態で貫通して結合されるスライドフレーム(50)は中央に電線溝(52)が形成された‘コ’の形状に構成され、上、下先端部には突出枠(53)が長手方向に形成され該突出枠(53)は結合凹部(31)に形成された丸凹溝(34)に嵌められるように挿入されることにより人為的な操作によらなければ第2連結部材(30)からスライドフレーム(50)が分離、離脱されることがないようになる。
【００２７】
一方、前記スライドフレーム(50)に幅調節可能に結合されるランプ支持台(60)は一側にスライドフレーム(50)に結合される結合端部(61)が形成され、該結合端部(61)内側にはスライドフレーム(50)の突出枠(53)が嵌められるように結合される一対の丸凹溝(64)が上、下に形成され、他側先端にはランプ(4)を支持するランプソケット(63)が形成される。
【００２８】
このとき、前記ランプ支持台(60)の後方には電線(3)が外部へ表れないように隠蔽し得る電線溝(62)が形成され、前記結合端部(61)に隣接された両側面には前記電線溝(62)と連通する引き込みホール(65)が形成され結合端部(61)の前方側には引き込みホール(65)を経由する電線(3)が垂れるのを防止するように電線(3)を掴む係止片(66)が形成されランプソケット(63)に連結された電線(3)を仕上げ処理するに当って綺麗な整頓状態を保持できるようになる。
【００２９】
このようなランプ支持台(60)はスライドフレーム(50)に設置しようとするランプ(4)の個数に従って多数個が結合され一つの支持装置(1)を利用して多数のランプ(4)を同時に多数列に配置できるようになる。そして、それぞれのランプ支持台(60)はスライドフレーム(50)に沿って水平移送しながら自由自在に幅を調節できるので需要者が望む照度を容易く得ることができるようになる。
【００３０】
さらに、本発明のランプ支持台(60)は従来のものとは異なりスライドフレーム(50)の外向側に突出された形態に結合されることにより支持装置(1)を連続的に設置するに当って相対するランプ支持台(60)間の干渉が発生しないので図10のように、相対するランプ支持台(60)を一定区間相互重畳されるように配置することにより連続されるランプ(4)間の間隙によって発生される黒化現像を綺麗に除去できるので照明の効果をさらに倍加させるようになる。
【００３１】
このような構成からなった本発明の全般的な組立て過程及びランプ(4)の支持状態、支持装置(1)の連続的な設置状態について説明することにする。
【００３２】
優先的に支持装置(1)の全体的な組立てはランプ(4)の規格に適切な長さを有するセンターフレーム(10)を利用して両端に第1連結部材(11)を結合させた後、固定フレーム(20)に結合された第２連結部材(30)と前記第１連結部材(11)を一体化されるように結束させる。
【００３３】
前記のような方法で支柱(センターフレームと固定フレームの結合構造)を構成し、前記第2連結部材(30)に固定フレーム(20)と交差された状態にスライドフレーム(50)を結合し、前記固定フレーム(20)を基準に両側に多数のランプ支持台(60)を結合させる。
【００３４】
この時設置しようとするランプ(4)の個数だけランプ支持台(60)を所定間隔に配列してランプ(4)を多数列に設置することができるようになる。
【００３５】
即ち、本発明は単品形態に供給されるそれぞれの構成品を現場で即席に組立て支持装置(1)を構成できるので、運搬及び保管が非常に容易であり、ランプ(4)の設置間隔を自由自在に調節しながら多数列に設置することができるので照明の効果を提高することができるようになる。
【００３６】
そして本発明は大形に製作される広告板(2)にこれを適用させる場合、一つの支持装置(1)を連続的に配置するに当って相対するランプ支持台(60)間の干渉現像が発生されないのでランプ(4)を図10ないし図12のように相対するランプ(4)を相互重畳されるように配置することにより黒化現像を効果的に防止できるようになる。
【００３７】
一方、本発明による電線(3)の処理作業は図11のようにランプソケット(63)と連結された電線(3)がランプ支持台(60)の電線溝(62)に沿って引き込みホール(65)を通過して係止片(66)に係止され、前記係止片(66)に係止された電線(3)はスライドフレーム(50)に沿って第2連結部材(30)の案内ホール(32)及び第1連結部材(11)に穿孔した穿孔ホール(設置作業時穿孔する)を通過してセンターフレーム(10)の電線溝(12)に案内されることにより綺麗な電線(3)の整頓状態を保持できる付随的な効果を提供する。
【産業上の利用可能性】
【００３８】
本発明は全ての構成品が単品の形態で供給され、これを即席に組立て支持装置を構成することにより、物流及び保管費用を節減することができ、ランプの規格に適合なセンターフレームだけを単独に交替する簡単な方法で多様なランプの規格にこだわらずに汎用に使用できる効果を提供する。
【００３９】
さらに、支持装置の連続的な設置作業時、相対するランプ支持台間の干渉現象がないので相対するランプを相互重畳されるように配置することにより黒化現象を除去して照明の効果を倍加させることができ、一つの支持装置を利用してランプを多数列に配置して作業性を改善するのは勿論、ランプの幅を自由自在に調節して照度の効果を高めることができるようになる。
【図面の簡単な説明】
【００４０】
【図１】本発明が照明広告板に適用された状態の1例示斜視図である。
【図２】本発明の支持装置に多数のランプが支持された状態の正面図である。
【図３】本発明の組立て状態の斜視図である。
【図４】本発明の分解斜視図である。
【図５】本発明センターフレームと固定フレームの結合状態の側断面図である。
【図６】本発明ランプ支持台の結合状態の側断面図である。
【図７】本発明第1、2連結部材の結合状態の側断面図である。
【図８】本発明第1、2連結部材の結合状態の正断面図である。
【図９】本発明ランプ支持台の間隔調節状態図である。
【図１０】本発明ランプ支持台が重畳設置された状態図である。
【図１１】本発明の電線整列状態一例示図である。
【図１２】本発明のランプ支持台が多数列に重畳設置された状態図である。
【符号の説明】
【００４１】
1：支持装置  
10：センターフレーム
11：第１連結部材  
12、52，62：電線溝
20：固定フレーム  
30：第2連結部材
31：結合凹部      
32：案内ホール
40：結束手段      
41：嵌め突起
42：結合突部      
43：挿支突起
45：弾性片        
46：結合顎
50：スライドフレーム
60：ランプ支持台
61：結合端部
63：ランプソケット
【図１】
2008518393.tif 000003
【図２】
2008518393.tif 000004
【図３】
2008518393.tif 000005
【図４】
2008518393.tif 000006
【図５】
2008518393.tif 000007
【図６】
2008518393.tif 000008
【図７】
2008518393.tif 000009
【図８】
2008518393.tif 000010
【図９】
2008518393.tif 000011
【図１０】
2008518393.tif 000012
【図１１】
2008518393.tif 000013
【図１２】
2008518393.tif 000014
【国際調査報告】
2008518393.tif 000015